(57)【要約】【課題】運転条件に対応するボタンを押下することにより靴乾燥装置の運転を開始する構成を採用した場合に比較して、靴に適した運転条件で靴を乾燥させる可能性を高くする。【解決手段】筐体と、筐体内に設けられ、靴を収容可能な仕切りを有する靴収容部と、靴収容部から空気を吸引するファンと、ファンにより吸引された空気を除湿する蒸発器と、蒸発器を通過した空気を加熱する凝縮器と、凝縮器を通過した空気を仕切りに収容された靴に向けて送風する送風部とを含む循環型流路と、循環型流路内に設けられ、筐体内の菌を殺菌する殺菌部と、循環型流路内に設けられ、筐体内の臭気を脱臭する脱臭部と、撮影により画像を取得する画像取得部と、画像取得部により取得された画像内の靴の情報に基づいて、自機の運転条件を制御する制御部とを備えた靴乾燥機。【選択図】図２
2020199239.tif 000002
【特許請求の範囲】
【請求項１】
筐体と、
前記筐体内に設けられ、靴を収容可能な仕切りを有する靴収容部と、
前記靴収容部から空気を吸引するファンと、当該ファンにより吸引された空気を除湿する蒸発器と、当該蒸発器を通過した空気を加熱する凝縮器と、当該凝縮器を通過した空気を前記仕切りに収容された靴に向けて送風する送風部とを含む循環型流路と、
前記循環型流路内に設けられ、前記筐体内の菌を殺菌する殺菌部と、
前記循環型流路内に設けられ、前記筐体内の臭気を脱臭する脱臭部と、
撮影により画像を取得する画像取得部と、
前記画像取得部により取得された前記画像内の靴の情報に基づいて、自機の運転条件を制御する制御部と
を備えたことを特徴とする靴乾燥機。
【請求項２】
前記筐体は、断熱構造を有することを特徴とする請求項１に記載の靴乾燥機。
【請求項３】
前記運転条件は、前記殺菌部による殺菌の強弱、前記送風部により送風される空気の温度、風量、及び風速、並びに自機の運転時間の少なくとも１つであることを特徴とする請求項１に記載の靴乾燥機。
【請求項４】
前記画像取得部は、前記靴収容部の壁面又は前記筐体外に設けられたカメラであることを特徴とする請求項１に記載の靴乾燥機。
【請求項５】
前記循環型流路は、前記凝縮器の直後の吹き出し位置の流路面積よりも、当該吹き出し位置と前記送風部との間の流路面積が大きくなるように構成されていることを特徴とする請求項１に記載の靴乾燥機。
【請求項６】
前記送風部は、右足用の前記靴に向けて空気を送風する第１の送風ノズルと、左足用の前記靴に向けて空気を送風する第２の送風ノズルとを含むことを特徴とする請求項１に記載の靴乾燥機。
【請求項７】
前記送風部は、前記靴収容部の壁面に設けられていることを特徴とする請求項１に記載の靴乾燥機。
【請求項８】
前記送風部は、前記壁面から斜め下方に滑らかな曲率を持つ形状を有する送風ノズルを備えたことを特徴とする請求項７に記載の靴乾燥機。
【請求項９】
前記送風部は、前記送風ノズルの流路中央付近に、風をガイドするガイド板であって、前縁部の断面が半円形状又は半楕円形状を有し、後縁部の断面が上辺と後縁端部との接続部分が滑らかな曲率でつながった形状を有するガイド板を更に備えたことを特徴とする請求項８に記載の靴乾燥機。
【請求項１０】
前記送風部は、前記仕切りに収容された靴内まで延長可能な送風ノズルを備えたことを特徴とする請求項１に記載の靴乾燥機。
【請求項１１】
前記送風部は、前記仕切りに収容された靴に向けて送風する空気の流路を開閉する開閉機構を備えたことを特徴とする請求項１に記載の靴乾燥機。
【請求項１２】
前記仕切りの周辺部又は前記仕切り内に、前記ファンにより吸引された空気の流路を備えたことを特徴とする請求項１に記載の靴乾燥機。
【請求項１３】
前記仕切りの周辺部又は前記仕切り内の空気の流路は、前記送風部に対向する壁面の下部に設置されていることを特徴とする請求項１２に記載の靴乾燥機。
【請求項１４】
前記仕切りの周辺部又は前記仕切り内の空気の流路は、前記送風部の吹き出し位置の流路面積よりも大きい流路面積を有することを特徴とする請求項１２に記載の靴乾燥機。
【請求項１５】
前記靴収容部は、１足の靴を収容可能な第１の仕切りを有する第１の靴収容部と、前記ファンにより吸引された空気の流れにおける当該第１の靴収容部の下流側に設けられ、１足の靴を収容可能な第２の仕切りを有する第２の靴収容部とを含み、
前記第１の仕切りの周辺部又は前記第１の仕切り内に、前記ファンにより吸引された空気の第１の流路を備え、
前記第２の仕切りの周辺部又は前記第２の仕切り内に、前記ファンにより吸引された空気の第２の流路を備えたことを特徴とする請求項１に記載の靴乾燥機。
【請求項１６】
前記靴収容部は、前記第１の流路の流路面積よりも、前記第２の流路の流路面積が大きくなるように構成されていることを特徴とする請求項１５に記載の靴乾燥機。
【請求項１７】
前記殺菌部は、放電電極と、接地電極とを有し、当該放電電極と当該接地電極との間に電圧を印加してプラズマを生成することにより前記筐体内の菌を殺菌することを特徴とする請求項１に記載の靴乾燥機。
【請求項１８】
前記靴収容部は、１足の靴を収容可能な第１の仕切りを有する第１の靴収容部と、当該第１の靴収容部の下段に設けられ、１足の靴を収容可能な第２の仕切りを有する第２の靴収容部とを含むことを特徴とする請求項１に記載の靴乾燥機。
【請求項１９】
前記靴収容部は、前記第１の仕切りが取り外し可能に構成されていることを特徴とする請求項１８に記載の靴乾燥機。
【請求項２０】
前記筐体内に、靴アクセサリを収容するアクセサリ収容部を備えたことを特徴とする請求項１に記載の靴乾燥機。
【請求項２１】
前記靴の情報又は前記運転条件を表す表示要素を表示し、指又は音声で当該表示要素に対する操作が行われる操作部を更に備えたことを特徴とする請求項１に記載の靴乾燥機。
【請求項２２】
前記循環型流路内に、蒸気を生成する蒸気生成部を備えたことを特徴とする請求項１に記載の靴乾燥機。
【請求項２３】
筐体と、
前記筐体内に設けられ、靴を収容可能な仕切りを有する靴収容部と、
前記靴収容部から空気を吸引するファンと、当該ファンにより吸引された空気を除湿する蒸発器と、当該蒸発器を通過した空気を加熱する凝縮器と、当該凝縮器を通過した空気を前記仕切りに収容された靴に向けて送風する送風部とを含む循環型流路と、
前記循環型流路内に設けられ、前記筐体内の菌を殺菌する殺菌部と、
前記循環型流路内に設けられ、前記筐体内の臭気を脱臭する脱臭部と
を備えた靴乾燥機の制御方法であって、
撮影により画像を取得するステップと
取得された前記画像内の靴の情報に基づいて、自機の運転条件を制御するステップと
を含むことを特徴とする、靴乾燥機の制御方法。
【発明の詳細な説明】
【技術分野】
【０００１】
本発明は、靴乾燥機及びその制御方法に関する。
【背景技術】
【０００２】
靴を収納する収納手段と、靴に対してオゾンを含んだ空気を供給するオゾン供給手段と、靴に対して加熱した空気を供給する加熱手段と、靴に対して冷却した空気を供給する冷却手段とを備え、制御装置が、それらの手段により空気の供給を行う場合における最適化された空気の温度および供給の時間を実現するように制御を行う靴乾燥装置は、知られている（例えば、特許文献１）。
【先行技術文献】
【特許文献】
【０００３】
【特許文献１】特開２０１２−１５２３３０号公報
【発明の概要】
【発明が解決しようとする課題】
【０００４】
運転条件に対応するボタンを押下することにより靴乾燥装置の運転を開始する構成を採用した場合には、靴に適した運転条件で靴を乾燥させる可能性を高くすることができない。
【０００５】
本発明の目的は、運転条件に対応するボタンを押下することにより靴乾燥装置の運転を開始する構成を採用した場合に比較して、靴に適した運転条件で靴を乾燥させる可能性を高くすることにある。
【課題を解決するための手段】
【０００６】
かかる目的のもと、本発明は、筐体と、筐体内に設けられ、靴を収容可能な仕切りを有する靴収容部と、靴収容部から空気を吸引するファンと、ファンにより吸引された空気を除湿する蒸発器と、蒸発器を通過した空気を加熱する凝縮器と、凝縮器を通過した空気を仕切りに収容された靴に向けて送風する送風部とを含む循環型流路と、循環型流路内に設けられ、筐体内の菌を殺菌する殺菌部と、循環型流路内に設けられ、筐体内の臭気を脱臭する脱臭部と、撮影により画像を取得する画像取得部と、画像取得部により取得された画像内の靴の情報に基づいて、自機の運転条件を制御する制御部とを備えた靴乾燥機を提供する。
【０００７】
筐体は、断熱構造を有する、ものであってよい。
【０００８】
運転条件は、殺菌部による殺菌の強弱、送風部により送風される空気の温度、風量、及び風速、並びに自機の運転時間の少なくとも１つであってよい。
【０００９】
画像取得部は、靴収容部の壁面又は筐体外に設けられたカメラであってよい。
【００１０】
循環型流路は、凝縮器の直後の吹き出し位置の流路面積よりも、吹き出し位置と送風部との間の流路面積が大きくなるように構成されている、ものであってよい。
【００１１】
送風部は、右足用の靴に向けて空気を送風する第１の送風ノズルと、左足用の靴に向けて空気を送風する第２の送風ノズルとを含む、ものであってよい。
【００１２】
送風部は、靴収容部の壁面に設けられている、ものであってよい。その場合、送風部は、壁面から斜め下方に滑らかな曲率を持つ形状を有する送風ノズルを備えた、ものであってよい。そして、送風部は、送風ノズルの流路中央付近に、風をガイドするガイド板であって、前縁部の断面が半円形状又は半楕円形状を有し、後縁部の断面が上辺と後縁端部との接続部分が滑らかな曲率でつながった形状を有するガイド板を更に備えた、ものであってよい。
【００１３】
送風部は、仕切りに収容された靴内まで延長可能な送風ノズルを備えた、ものであってよい。
【００１４】
送風部は、仕切りに収容された靴に向けて送風する空気の流路を開閉する開閉機構を備えた、ものであってよい。
【００１５】
靴乾燥機は、仕切りの周辺部又は仕切り内に、ファンにより吸引された空気の流路を備えた、ものであってよい。その場合、仕切りの周辺部又は仕切り内の空気の流路は、送風部に対向する壁面の下部に設置されている、ものであってよい。また、仕切りの周辺部又は仕切り内の空気の流路は、送風部の吹き出し位置の流路面積よりも大きい流路面積を有する、ものであってよい。
【００１６】
靴収容部は、１足の靴を収容可能な第１の仕切りを有する第１の靴収容部と、ファンにより吸引された空気の流れにおける第１の靴収容部の下流側に設けられ、１足の靴を収容可能な第２の仕切りを有する第２の靴収容部とを含み、第１の仕切りの周辺部又は第１の仕切り内に、ファンにより吸引された空気の第１の流路を備え、第２の仕切りの周辺部又は第２の仕切り内に、ファンにより吸引された空気の第２の流路を備えた、ものであってよい。その場合、靴収容部は、第１の流路の流路面積よりも、第２の流路の流路面積が大きくなるように構成されている、ものであってよい。
【００１７】
殺菌部は、放電電極と、接地電極とを有し、放電電極と接地電極との間に電圧を印加してプラズマを生成することにより筐体内の菌を殺菌する、ものであってよい。
【００１８】
靴収容部は、１足の靴を収容可能な第１の仕切りを有する第１の靴収容部と、第１の靴収容部の下段に設けられ、１足の靴を収容可能な第２の仕切りを有する第２の靴収容部とを含む、ものであってよい。その場合、靴収容部は、第１の仕切りが取り外し可能に構成されている、ものであってよい。
【００１９】
靴乾燥機は、筐体内に、靴アクセサリを収容するアクセサリ収容部を備えた、ものであってよい。
【００２０】
靴乾燥機は、靴の情報又は運転条件を表す表示要素を表示し、指又は音声で表示要素に対する操作が行われる操作部を更に備えた、ものであってよい。
【００２１】
靴乾燥機は、循環型流路内に、蒸気を生成する蒸気生成部を備えた、ものであってよい。
【００２２】
また、本発明は、筐体と、筐体内に設けられ、靴を収容可能な仕切りを有する靴収容部と、靴収容部から空気を吸引するファンと、ファンにより吸引された空気を除湿する蒸発器と、蒸発器を通過した空気を加熱する凝縮器と、凝縮器を通過した空気を仕切りに収容された靴に向けて送風する送風部とを含む循環型流路と、循環型流路内に設けられ、筐体内の菌を殺菌する殺菌部と、循環型流路内に設けられ、筐体内の臭気を脱臭する脱臭部とを備えた靴乾燥機の制御方法であって、撮影により画像を取得するステップと取得された画像内の靴の情報に基づいて、自機の運転条件を制御するステップとを含む、靴乾燥機の制御方法も提供する。
【発明の効果】
【００２３】
本発明によれば、運転条件に対応するボタンを押下することにより靴乾燥装置の運転を開始する構成を採用した場合に比較して、靴に適した運転条件で靴を乾燥させる可能性が高くなる。
【図面の簡単な説明】
【００２４】
【図１】本発明の実施の形態における靴乾燥機の外観を示した斜視図である。
【図２】本発明の実施の形態における靴乾燥機の側面図である。
【図３】本発明の実施の形態における靴乾燥機の正面図である。
【図４】本発明の実施の形態における靴乾燥機の側面図に、循環型流路における風の流れと、カメラによる撮影範囲とを、重ねて示した図である。
【図５】本発明の実施の形態における靴乾燥機の制御装置の動作例を示したフローチャートである。
【図６】図４に示した靴乾燥機の側面図の領域Ｘの拡大図である。
【図７】本発明の実施の形態における送風ユニットの外観を示した斜視図である。
【図８】（ａ）は、本発明の実施の形態における送風ノズルの断面図であり、（ｂ），（ｃ）は、その前縁部の断面形状を示した図であり、（ｄ）は、その後縁部の断面形状を示した図である。
【図９】（ａ），（ｂ）は、本発明の実施の形態における送風ノズルに対する延長ノズルの挿入について示した図である。
【図１０】本発明の実施の形態における靴乾燥機の上面図である。
【図１１】（ａ）〜（ｃ）は、本発明の実施の形態における靴乾燥機の上面図である。
【図１２】（ａ）は、殺菌ユニットが配置された送風ユニットの構成を示した図であり、（ｂ）は、殺菌ユニットの構成を示した図である。
【図１３】図４に示した靴乾燥機の側面図の領域Ｙの拡大図である。
【図１４】本発明の実施の形態における靴乾燥機の仕切りを外したときの状態を示した斜視図である。
【図１５】（ａ），（ｂ）は、ブーツアタッチメントを用いた延長ノズルの取り付けの様子を拡大して示した図である。
【図１６】本発明の実施の形態における靴乾燥機のドアの外側の外観を示した図である。
【発明を実施するための形態】
【００２５】
以下、添付図面を参照して、本発明の実施の形態について詳細に説明する。
【００２６】
［靴乾燥機の全体構成］
図１は、本実施の形態における靴乾燥機１の外観を示した斜視図である。図２は、本実施の形態における靴乾燥機１の側面図である。図３は、本実施の形態における靴乾燥機１の正面図である。
【００２７】
図示するように、本実施の形態における靴乾燥機１は、外郭を構成する筐体１０を備えている。筐体１０は、断熱構造を有するものが好ましいが、断熱構造を有しないものであってもよい。筐体１０は、正面側に設けられて靴を出し入れするために開閉されるドア１１と、左側面を構成する左側面板１２と、右側面を構成する右側面板１３と、背面を構成する背面板１４と、上面を構成する上面板１５と、底面を構成する底面板１６とから構成されている。そして、ドア１１の内側には、靴アクセサリを収容するアクセサリ収容部１７が設けられている。但し、靴アクセサリの１つであるブーツアタッチメント３８２ａ，３８２ｂ（後述）は、図では、筐体１０の下方の機械室内に収納されている。
【００２８】
また、図示するように、本実施の形態における靴乾燥機１は、靴を収容する靴収容部２０（１）〜２０（３）を備えている。尚、ここでは、靴収容部２０（１）〜２０（３）を示したが、これらを区別する必要がない場合は、単に靴収容部２０と表記することもある。また、図には、３つの靴収容部２０を示したが、１つ、２つ又は４つ以上の靴収容部２０を設けてもよい。
【００２９】
靴収容部２０（１）〜２０（３）には、それぞれ、１足の靴を収容可能な仕切り２１（１）〜２１（３）が設けられており、この仕切り２１（１）〜２１（３）に１足ずつ靴を収容することにより、最大３足の靴を収容できるようになっている。尚、ここでは、仕切り２１（１）〜２１（３）を示したが、これらを区別する必要がない場合は、単に仕切り２１と表記することもある。また、図には、３つの仕切り２１を示したが、これは３つの靴収容部２０が設けられているためであり、靴収容部２０の数に応じて仕切り２１の数も変更してよい。ここで、仕切り２１は、筐体１０に直接設置されていてもよいし、スライドレールで稼働可能になっていてもよい。
【００３０】
靴収容部２０（１）〜２０（３）には、左側面側に左側壁面２２（１）〜２２（３）が、右側面側に右側壁面２３（１）〜２３（３）が、背面側に背壁面２４（１）〜２４（３）が、それぞれ設けられている。尚、左側壁面２２（１）〜２２（３）、右側壁面２３（１）〜２３（３）、背壁面２４（１）〜２４（３）は、それぞれ、靴収容部２０（１）〜２０（３）に共通の一体化した左側壁面２２、右側壁面２３、背壁面２４であってよいが、ここでは便宜上、靴収容部２０（１）〜２０（３）のそれぞれに面した部分を区別して示している。また、図には、３つの左側壁面２２、右側壁面２３、背壁面２４を示したが、これは３つの靴収容部２０が設けられているためであり、靴収容部２０の数に応じて左側壁面２２、右側壁面２３、背壁面２４の数も変更してよい。
【００３１】
更に、図示するように、本実施の形態における靴乾燥機１は、筐体１０内で空気を循環させることにより、靴収容部２０を除湿乾燥させる循環型流路３０を備えている。そして、循環型流路３０は、ファン３１と、蒸発器３２と、凝縮器３３と、吐出流路３４と、背面流路３５と、送風ユニット３６（１）〜３６（３）と、前面流路３７とを含む。
【００３２】
ファン３１は、靴収容部２０から空気を吸引する。図では、ファン３１を１つしか示していないが、複数設けられていてもよい。
【００３３】
蒸発器３２は、ファン３１の下流部に配置され、膨張弁３１５により膨張されて低温低圧となった冷媒を蒸発させることにより、ファン３１により吸引された空気を冷却させて除湿する。凝縮器３３は、圧縮機３２５により圧縮されて高温高圧となった冷媒を凝縮することにより、蒸発器３２を通過した空気を再加熱する。
【００３４】
吐出流路３４は、凝縮器３３を通過した直後の空気が背面流路３５へ吹き出す部分の流路である。背面流路３５は、筐体１０の背面板１４と靴収容部２０の背壁面２４との間に設けられ、凝縮器３３を通過して吐出流路３４から吹き出した空気を靴収容部２０に再度分流するための流路である。
【００３５】
送風ユニット３６（１）〜３６（３）は、それぞれ、靴収容部２０（１）〜２０（３）の背壁面２４（１）〜２４（３）に設けられ、背面流路３５からの空気を、仕切り２１（１）〜２１（３）に収容された靴に向けて送風する。尚、ここでは、送風ユニット３６（１）〜３６（３）を示したが、これらを区別する必要がない場合は、単に送風ユニット３６と表記することもある。また、図には、３つの送風ユニット３６を示したが、これは３つの靴収容部２０が設けられているためであり、靴収容部２０の数に応じて送風ユニット３６の数も変更してよい。更に、送風ユニット３６は、背壁面２４に限らず、左側壁面２２、右側壁面２３、天面（図示せず）等、他の壁面に設けられてもよい。本実施の形態では、送風部の一例として、送風ユニット３６を設けている。
【００３６】
前面流路３７は、ファン３１により靴収容部２０から吸引された空気が流れるドア１１側の流路である。
【００３７】
図４の側面図には、このような循環型流路３０における風の流れを白抜き矢印で示している。ここで、白抜き矢印のうち、脱臭装置５０から蒸発器３２への矢印は、湿度の高い空気の流れを示しており、蒸発器３２から凝縮器３３への矢印は、湿度の低い空気の流れを示しており、凝縮器３３又は蒸気生成器６０から背面流路３５への矢印は、高温の空気の流れを示している。尚、この循環型流路３０においては、ファン３１を蒸発器３２の上流部に設けることとしたが、これには限らない。ファン３１は、凝縮器３３の下流部に設けてもよいし、各送風ユニット３６内に設けてもよい。
【００３８】
尚、図には示さなかったが、靴乾燥機１は、筐体１０外の空気を靴収容部２０内に送風した後、靴収容部２０内の空気を筐体１０外に排出するダクトを備えていてもよい。
【００３９】
更にまた、図示するように、本実施の形態における靴乾燥機１は、殺菌ユニット４０（１）〜４０（３）と、脱臭装置５０と、蒸気生成器６０と、排水タンク７１と、給水タンク７２とを備えている。
【００４０】
殺菌ユニット４０（１）〜４０（３）は、それぞれ、送風ユニット３６（１）〜３６（３）内に設けられ、筐体１０内の菌を殺菌する。尚、ここでは、殺菌ユニット４０（１）〜４０（３）を示したが、これらを区別する必要がない場合は、単に殺菌ユニット４０と表記することもある。また、図には、３つの殺菌ユニット４０を示したが、これは３つの靴収容部２０が設けられているためであり、靴収容部２０の数に応じて殺菌ユニット４０の数も変更してよい。本実施の形態では、殺菌部の一例として、殺菌ユニット４０を設けている。
【００４１】
脱臭装置５０は、循環型流路３０内に設けられ、筐体１０内の臭気を脱臭する。本実施の形態では、脱臭部の一例として、脱臭装置５０を設けている。
【００４２】
蒸気生成器６０は、循環型流路３０内に設けられ、循環型流路３０内に蒸気を生成する。本実施の形態では、蒸気生成部の一例として、蒸気生成器６０を設けている。
【００４３】
排水タンク７１は、蒸発器３２において結露した水分を貯留する。給水タンク７２は、蒸気生成器６０に供給する水を貯留する。
【００４４】
加えて、図示するように、本実施の形態における靴乾燥機１は、カメラ８０（１）〜８０（３）と、制御装置９０とを備えている。
【００４５】
カメラ８０（１）〜８０（３）は、それぞれ、靴収容部２０（１）〜２０（３）の壁面に設置され、靴収容部２０（１）〜２０（３）に収容された靴の画像（靴画像）を撮影する。ここで、壁面は、常時靴収容部２０の壁面となっているものでもよいし、一時的に靴収容部２０の壁面となるものでもよい。前者の例としては、靴収容部２０の左側壁面２２、右側壁面２３、背壁面２４があるが、天面（図示せず）であってもよい。後者の例としては、ドア１１を閉めた際に靴収容部２０の正面側の壁面となるドア１１の内側面がある。図では、このようにドア１１の内側面にカメラ８０（１）〜（３）を設置した場合について示している。更に、カメラ８０は、鏡を利用して多角的に靴画像を取得するものであってもよい。
【００４６】
図４の側面図には、カメラ８０（１）〜８０（３）による撮影範囲についても、カメラ８０（１）〜８０（３）を中心とした扇形で示している。尚、ここでは、カメラ８０（１）〜８０（３）を示したが、これらを区別する必要がない場合は、単にカメラ８０と表記することもある。また、図には、３つのカメラ８０を示したが、これは３つの靴収容部２０が設けられているためであり、靴収容部２０の数に応じてカメラ８０の数も変更してよい。
【００４７】
或いは、カメラ８０は、靴の情報（靴情報）を持つ商品タグやバーコード等の画像を撮影してもよい。この場合、カメラ８０は、必ずしも筐体１０内における靴収容部２０の壁面に設ける必要はなく、筐体１０外に設けてもよい。
【００４８】
本実施の形態では、撮影により画像を取得する画像取得部の一例として、カメラ８０を設けている。
【００４９】
制御装置９０は、カメラ８０で撮影した画像から靴情報を判別する。ここで、靴情報には、例えば、靴の種類、形状、サイズ、素材等がある。カメラ８０で撮影した画像が靴画像である場合は、例えば、撮影した画像と予め登録された画像との画像マッチング処理により、靴情報を判別するとよい。また、カメラ８０で撮影した画像が商品タグやバーコード等の画像である場合は、例えば、商品タグに記載された文字の文字認識処理や、バーコードで表現された情報の解析処理により、靴情報を判別するとよい。そして、制御装置９０は、この判別された靴情報に応じた運転モードを靴乾燥機１に設定する。運転モードは、これに限られるものではないが、例えば、殺菌ユニット４０による殺菌の強弱、送風ユニット３６により送風される空気の温度、風量、及び風速、並びに靴乾燥機１の運転時間の少なくとも１つであってよい。本実施の形態では、運転条件の一例として、運転モードを用いており、画像内の靴の情報に基づいて自機の運転条件を制御する制御部の一例として、制御装置９０を設けている。
【００５０】
これにより、靴への殺菌や熱によるダメージを抑えながら、靴のケアを行うことが可能となる。
【００５１】
尚、制御装置９０は、ソフトウェアで実現してもよいし、ハードウェアで実現してもよい。ソフトウェアで実現する場合、制御装置９０は、ＣＰＵ、ＲＡＭ、ＲＯＭ等を備え、例えば、ＣＰＵがＲＯＭに記憶されたプログラムをＲＡＭに読み込んで実行するものとすればよい。或いは、ＯＳを搭載したシステムで、ＲＡＭにロードするソフトウェアはＨＤＤやＳＤ（登録商標）カード等の外部記憶装置に記憶されたものでもよい。
【００５２】
図５は、制御装置９０の動作例を示したフローチャートである。尚、この動作例では、カメラ８０が靴画像を撮影するものとしている。また、カメラ８０は、靴画像を常時撮影しており、静止画のフレーム間の差分が存在した場合に、状態が変化したと判断し、画像認識処理を開始するのが基本である。但し、画像データの転送スループットが十分でなく、処理するＣＰＵも非力で、常時撮影ができない場合には、何らかのトリガーにより撮影を開始することも有効なので、以下では、このトリガーによる撮影開始を例にとって説明する。
【００５３】
制御装置９０は、まず、靴画像を撮影するためのトリガーがあったかどうかを判定する（ステップ９０１）。ここで、トリガーとしては、タイマが一定時間経過を検知したこと、カメラ８０以外のセンサが状態変化を検知したこと（例えば、ドア１１が閉められたことをドアスイッチが検知したこと、靴収容部２０の仕切り２１に靴が収容されたことを仕切り２１に設けられた重量センサが検知したこと）、ユーザからの指示があったこと（例えば、ドア１１が閉められた後に運転開始を指示する旨の指示があったこと）等が考えられる。トリガーがないと判定した場合、制御装置９０は、ステップ９０１を繰り返し、トリガーがあったと判定した場合、制御装置９０は、処理をステップ９０２へ進める。
【００５４】
このようにステップ９０１で靴画像を撮影するためのトリガーがあったと判定すると、制御装置９０は、カメラ８０により、靴収容部２０の仕切り２１に収容された靴を撮影する（ステップ９０２）。具体的には、制御装置９０が、カメラ８０に対して撮影を指示する信号を送信し、カメラ８０が靴を撮影する。
【００５５】
次に、制御装置９０は、ステップ９０２でカメラ８０により撮影された靴画像から靴情報を認識する（ステップ９０３）。具体的には、制御装置９０は、カメラ８０から靴画像を取得し、例えば画像マッチング処理により靴情報を認識する。
【００５６】
次いで、制御装置９０は、ステップ９０３で認識した靴情報に応じた運転モードを設定する（ステップ９０４）。具体的には、靴情報に応じてどのような運転モードを設定すべきかを定義した定義情報を制御装置９０内の記憶手段に記憶しておき、制御装置９０は、この定義情報を参照して運転モードを設定すればよい。
【００５７】
最後に、制御装置９０は、ステップ９０４で設定した運転モードで靴乾燥機１の運転を行う（ステップ９０５）。具体的には、制御装置９０は、靴乾燥機１の各構成要素に対して、この設定した運転モードでの運転を指示する信号を送信する。
【００５８】
尚、ここでは、ステップ９０４及びステップ９０５において、靴画像から認識した靴情報に応じた運転モードを設定し、この運転モードで靴乾燥機１の運転を行うこととしたが、これはあくまで一例である。靴画像から認識した靴情報を用いて如何なる処理を行ってもよい。
【００５９】
以下に、靴乾燥機１が備える構成要素について詳述する。
【００６０】
［吐出流路及び背面流路］
図６は、図４に示した靴乾燥機１の側面図の領域Ｘの拡大図である。図からも明らかなように、本実施の形態では、吐出流路３４の面積Ａよりも、背面流路３５の面積Ｂが大きくなるように構成している。ここで、吐出流路３４の面積Ａとは、換言すれば、凝縮器３３の直後の吹き出し位置の流路面積であり、背面流路３５の面積Ｂとは、換言すれば、吹き出し位置と送風ユニット３６との間の流路面積である。尚、吐出流路３４から背面流路３５への流路面積の拡大の態様としては、流路面積が徐々に拡大するものが好ましいが、流路面積が急拡大するものであってもよい。
【００６１】
このように吐出流路３４から背面流路３５へ流路面積が拡大することにより、吐出流路３４を通過する空気の動圧の一部が静圧に変換され、背面流路３５を通過する静圧が上昇し、背面流路３５から靴収容部２０に分流する際に動圧の影響を抑えることができる。従って、各送風ユニット３６から風を均一に分流し易くなり、その結果、各靴収容部２０に均一な風量で風を分流し易くなる。
【００６２】
［送風ユニット］
送風ユニット３６は、背面流路３５から靴収容部２０への送風を可能とするものであれば、如何なる構成を有していてもよい。例えば、複数の薄い板を平行に並べたルーバ形状のものであってもよい。但し、本実施の形態では、送風ユニット３６を、送風ノズルを有するものとする。
【００６３】
図７は、本実施の形態における送風ユニット３６の外観を示した斜視図である。図示するように、送風ユニット３６は、右足用の靴に送風するための送風ノズル３８ａと、左足用の靴に送風するための送風ノズル３８ｂとを備えている。尚、送風ノズル３８ａ，３８ｂを区別する必要がない場合は、単に送風ノズル３８と表記することもある。従って、換言すれば、送風ユニット３６には、靴１足に対して、２個の送風ノズル３８が設けられ、左右それぞれの靴に対して送風できるようになっていると言える。本実施の形態では、右足用の靴に向けて空気を送風する第１の送風ノズルの一例として、送風ノズル３８ａを設けており、左足用の靴に向けて空気を送風する第２の送風ノズルの一例として、送風ノズル３８ｂを設けている。
【００６４】
このように左右の靴ごとに送風ノズル３８を設置することにより、必要な部分のみに送風することが可能となり、靴のケア（殺菌や乾燥等）の効率が向上する。
【００６５】
また、送風ノズル３８ａ，３８ｂには、その流路中央付近に、風に対するガイド板３９ａ，３９ｂが、それぞれ設置されている。尚、ガイド板３９ａ，３９ｂを区別する必要がない場合は、単にガイド板３９と表記することもある。
【００６６】
図８（ａ）は、本実施の形態における送風ノズル３８の断面図である。本実施の形態では、送風ノズル３８の断面が、背壁面２４から斜め下方に滑らかな曲率を持った形状を有している。また、ガイド板３９の前縁部３９１の断面が、図８（ｂ）に示す半円形状又は図８（ｃ）に示す半楕円形状を有している。更に、ガイド板３９の後縁部３９２の断面が、図８（ｄ）に示す形状を有している。つまり、上辺３９３と後縁端部３９５との接続部分が滑らかな曲率で繋がった形状となっている。一方で、下辺３９４は平面形状となっている。尚、下辺３９４は、必ずしも平面形状としなくてもよいが、平面形状とすることが好ましい。
【００６７】
このように送風ノズル３８の断面を滑らかな曲率を持った形状とすることにより、流路内の剥離等の損失を抑制し、かつ効率よく靴に送風することが可能となる。また、ガイド板３９を設けることにより、流路内の剥離を更に抑制することが可能となる。そして、ガイド板３９の前縁部３９１の断面を図８（ｂ），（ｃ）の形状とすることにより前縁剥離を、後縁部３９２の断面を図８（ｄ）の形状とすることにより後縁剥離を、それぞれ抑制することが可能となり、その結果、送風効率が向上する。
【００６８】
図９（ａ），（ｂ）は、送風ノズル３８に対する延長ノズル３８１の挿入について示した図である。まず、図９（ａ）に示すように、延長ノズル３８１を準備する。ここでは、仕切り２１にまだ靴は収容されていない。また、延長ノズル３８１としては、蛇腹形状のものを想定しているが、この時点ではまだ伸びきっていないので、蛇腹は見えていない。その後、図９（ｂ）に示すように、送風ノズル３８をその先端に延長ノズル３８１を設置することで延長し、靴内に延長ノズル３８１を挿入する。或いは、送風ノズル３８を機械的に伸縮可能な構造とすることで延長し、靴内に送風ノズル３８を挿入するようにしてもよい。このように送風ノズル３８を延長することにより、特殊な形状の靴や開口部が極端に狭くなっているような靴に対しても、靴内部に送風することが可能となる。
【００６９】
更に、本実施の形態では、送風ノズル３８の吸入口又は吐出口にその流路を開閉するための開閉機構の一例としてダンパーを設けてもよい。そして、各靴収容部２０内の温湿度センサからの情報により、靴の殺菌や乾燥具合を判断し、靴のケアが完了した靴収容部２０に対応する送風ノズル３８のダンパーを閉める。これにより、靴のケアが完了した靴収容部２０への不必要な送風を止めることが可能となり、複数足の状態が異なる靴を同時に入れて運転しても、靴収容部２０ごとに適切な状態で送風を止めることが可能となる。
【００７０】
これを実現するには、制御装置９０が、図５のステップ９０５で靴乾燥機１の運転を開始した後、例えば、一定時間ごとに各靴収容部２０の温湿度センサからの情報を確認する。そして、靴のケアが完了していることを示す情報を出力した温湿度センサがあれば、その温湿度センサに対応する靴収容部２０について、送風ノズル３８のダンバーを閉じる信号を出力する。また、図５のステップ９０１でトリガーがあったと判定した場合も、制御装置９０が、温湿度センサからの情報を確認する。そして、靴のケアが完了していることを示す情報を出力した温湿度センサがあれば、その温湿度センサに対応する靴収容部２０については、送風ノズル３８のダンパーを閉じた状態で、以降の処理を行わないようにしてもよい。
【００７１】
［前面流路］
仕切り２１とドア１１とは接触しないようにするとよい。これにより、仕切り２１とドア１１との間の空間が前面流路３７となり、靴を経由して流れてきた空気がファン３１に吸い込まれていき易くなる。ここで、前面流路３７は、靴内の湿度の高い風が靴収容部２０内に滞ることなく靴収容部２０外に排出することで乾燥効率を高めるため、送風ユニット３６に対向する壁面の下部に設置されていることが望ましい。また、乾燥時の圧損の観点から、つまり、送風ユニット３６の吹出し位置における風圧よりも、前面流路３７における風圧を低くするために、送風ユニット３６の吹出し位置の流路面積よりも、前面流路３７の流路面積が大きくなるように構成されていることが望ましい。図１０に示した靴乾燥機１の上面図に、送風ユニット３６の吹出し位置の流路面積はＳ１として、前面流路３７の流路面積はＳ２として示している。尚、前面流路３７は、仕切り２１とドア１１との間に限らず、仕切り２１の周辺部の如何なる箇所に設けてもよい。この場合、前面流路３７は、仕切りの周辺部の空気の流路の一例である。
【００７２】
或いは、仕切り２１とドア１１とが接触するようにし、仕切り２１に開口部を設けてもよい。これにより、仕切り２１に設けられた開口部が前面流路３７となり、靴を経由して流れてきた空気がファン３１に吸い込まれていき易くなる。この場合、前面流路３７は、仕切り内の空気の流路の一例である。
【００７３】
ところで、これまでは、１つの仕切り２１について説明したが、図１〜図４に示した靴乾燥機１では、靴収容部２０（１）〜２０（３）がそれぞれ仕切り２１（１）〜２１（３）を有している。そこで、以降、靴乾燥機１が仕切り２１（１）〜２１（３）を有する場合についても説明する。
【００７４】
この場合も、仕切り２１（１）〜２１（３）とドア１１とは接触しないようにするとよい。これにより、仕切り２１（１）〜２１（３）とドア１１との間の空間が前面流路３７となり、靴を経由して流れてきた空気がファン３１に吸い込まれていき易くなる。尚、前面流路３７は、仕切り２１とドア１１との間に限らず、仕切り２１の周辺部の如何なる箇所に設けてもよい。この場合、前面流路３７は、仕切りの周辺部の空気の流路の一例である。
【００７５】
ここで、前面流路３７の流路面積は、最上段の仕切り２１（１）における流路面積から最下段の仕切り２１（３）における流路面積にかけて大きくなるようにすることが望ましい。図１１（ａ）〜（ｃ）に示した靴乾燥機１の上面図に、前面流路３７の仕切り２１（１）における流路面積をＸ（１）として、前面流路３７の仕切り２１（２）における流路面積をＸ（２）として、前面流路３７の仕切り２１（３）における流路面積をＸ（３）として、それぞれ示している。そして、流路面積の大きさの関係は、Ｘ（１）＜Ｘ（２）＜Ｘ（３）としている。これにより、靴収容部２０（１）〜２０（３）の靴を経由して流れてきた空気の流量が上段から下段にかけて増えてきた際に、流路における圧損上昇を低減し、ファン３１の消費電力及び送風音を低減することが可能となる。この場合、例えば、靴収容部２０（１），２０（３）がそれぞれ第１の靴収容部、第２の靴収容部の一例であり、仕切り２１（１），２１（３）がそれぞれ第１の仕切り、第２の仕切りの一例であり、仕切り２１（１），２１（３）における流路がそれぞれ第１の流路、第２の流路の一例である。
【００７６】
また、上記では、前面流路３７の流路面積は、最上段の仕切り２１（１）における流路面積から最下段の仕切り２１（３）における流路面積にかけて大きくなるようにすることが望ましいとしたが、この限りではない。前面流路３７の仕切り２１（１）〜２１（３）における流路面積は一部同等であってもよい。つまり、図１１（ａ）〜（ｃ）において、前面流路３７の仕切り２１（１）〜２１（３）における流路面積の関係は、例えば、Ｘ（１）＜Ｘ（２）≒Ｘ（３）、Ｘ（１）≒Ｘ（２）＜Ｘ（３）、Ｘ（１）≒Ｘ（２）≒Ｘ（３）等であってもよい。これによっても、上記と同様に、仕切り２１（１）〜２１（３）の流路における圧損が低減し、ファン３１の消費電力及び送風音を低減できるという効果が得られる。Ｘ（１）＜Ｘ（２）≒Ｘ（３）の場合、例えば、靴収容部２０（１），２０（２）がそれぞれ第１の靴収容部、第２の靴収容部の一例であり、仕切り２１（１），２１（２）がそれぞれ第１の仕切り、第２の仕切りの一例であり、仕切り２１（１），２１（２）における流路がそれぞれ第１の流路、第２の流路の一例である。また、Ｘ（１）≒Ｘ（２）＜Ｘ（３）の場合、例えば、靴収容部２０（２），２０（３）がそれぞれ第１の靴収容部、第２の靴収容部の一例であり、仕切り２１（２），仕切り２１（３）がそれぞれ第１の仕切り、第２の仕切りの一例であり、仕切り２１（２），２１（３）における流路がそれぞれ第１の流路、第２の流路の一例である。
【００７７】
或いは、仕切り２１（１）〜２１（３）とドア１１とが接触するようにし、仕切り２１（１）〜２１（３）に開口部を設けてもよい。これにより、仕切り２１に設けられた開口部が前面流路３７となり、靴を経由して流れてきた空気がファン３１に吸い込まれていき易くなる。この場合、前面流路３７は、仕切り内の空気の流路の一例である。
【００７８】
ここでも、前面流路３７の流路面積は、最上段の仕切り２１（１）における開口部の面積から最下段の仕切り２１（３）における開口部の面積にかけて同等又は大きくなるようにすることが望ましい。これにより、靴収容部２０（１）〜２０（３）の靴を経由して流れてきた空気の流量が上段から下段にかけて増えてきた際に、仕切り２１（１）〜２１（３）における開口部を通過する流速を大きくしないようにすることが可能となる。その結果、仕切り２１（１）〜２１（３）の開口部における圧損が低減し、ファン３１の消費電力及び送風音を低減することが可能となる。
【００７９】
尚、上記では、仕切り２１（１）〜２１（３）はこの順に上段から下段へと配置されることとしたが、これには限らない。ファン３１の位置によっては、仕切り２１（１）〜２１（３）は、この順に、ファン３１により吸引された空気の流れにおける上流側から下流側へと配置されるものであってもよい。
【００８０】
［殺菌ユニット］
殺菌ユニット４０は、背面流路３５及び送風ユニット３６のどちらに配置してもよいが、靴収容部２０の背壁面２４に設置された送風ユニット３６の送風ノズル３８内に配置するのが好ましい。従って、ここでは、送風ノズル３８ａ，３８ｂ内に配置された殺菌ユニット４０をそれぞれ殺菌ユニット４０ａ，４０ｂとして説明する。
【００８１】
図１２（ａ）は、殺菌ユニット４０ａ，４０ｂが配置された送風ユニット３６の構成を示した図である。送風ユニット３６は、殺菌ユニット４０ａ，４０ｂと、殺菌ユニット４０ａ，４０ｂに高周波電圧を印加する高周波電源４５とを備えている。
【００８２】
図１２（ｂ）は、殺菌ユニット４０の構成を示した図である。図示するように、殺菌ユニット４０は、放電電極４１と、接地電極４２とを備えている。そして、図１２（ａ）に示した高周波電源４５により放電電極４１と接地電極４２との間に電圧を印加してプラズマを生成することにより、筐体１０内の菌を殺菌する。このように靴の臭いの原因菌を殺菌することで、靴を消臭することができる。
【００８３】
［脱臭装置］
図１３は、図４に示した靴乾燥機１の側面図の領域Ｙの拡大図であり、脱臭装置５０の設置例を示している。図示するように、脱臭装置５０は、フィルタガード５１と、プレフィルタ５２と、脱臭フィルタ５３とを備えている。フィルタガード５１は、プレフィルタ５２及び脱臭フィルタ５３を保護する。プレフィルタ５２は、靴に付着した埃や土等を取り除く。脱臭フィルタ５３は、プレフィルタ５２では取り除くことができない空気中の臭気を取り除く。ここで、脱臭フィルタ５３は、臭気吸着式、臭気分解式のどちらでもよい。尚、脱臭装置５０は、循環型流路３０内で靴収容部２０からファン３１までの間に設置するのが好ましいが、これには限らない。循環型流路３０内のどこに設置してもよい。このように循環型流路３０内に脱臭装置５０を設置することにより、靴から生じる臭いを脱臭することが可能となる。
【００８４】
［靴収容部］
靴収容部２０（１）〜２０（３）は、仕切り２１（１）〜２１（３）の何れかを外して、ロングブーツ等の丈が高い靴を収容可能になっている。
【００８５】
図１４は、このときの靴乾燥機１の状態を示した斜視図である。ここでは、仕切り２１（２）を取り外して、靴収容部２０（２），（３）にロングブーツを収容した状態を示している。この場合、仕切り２１（２）は第１の仕切りの一例であり、靴収容部２０（２）は第１の靴収容部の一例である。また、仕切り２１（３）は第２の仕切りの一例であり、靴収容部２０（３）は第２の靴収容部の一例である。
【００８６】
ここで、本実施の形態における靴乾燥機１では、送風ノズル３８ごとに、延長ノズル３８１が用意されている。以下では、送風ノズル３８ａ（１），３８ｂ（１），３８ａ（２），３８ｂ（２），３８ａ（３），３８ｂ（３）に挿入するために用意された延長ノズル３８１を、それぞれ、延長ノズル３８１ａ（１），３８１ｂ（１），３８１ａ（２），３８１ｂ（２），３８１ａ（３），３８１ｂ（３）と表記することにする。
【００８７】
仕切り２１（３）に収容されたロングブーツが自立可能なものであれば、延長ノズル３８１ａ（２），３８１ｂ（２）をそれぞれ送風ノズル３８ａ（２），３８ｂ（２）に設置してロングブーツに挿入するだけで十分な場合はある。一方で、仕切り２１（３）に収容されたロングブーツが自立可能でないものであれば、延長ノズル３８１ａ（２），３８１ｂ（２）をそれぞれ送風ノズル３８ａ（２），３８ｂ（２）に設置してロングブーツに挿入するだけは十分でない場合がある。その場合は、図１４で左足用のロングブーツについて切り開いて示すように、延長ノズル３８１ａ（２），３８１ｂ（２）の先にブーツアタッチメント３８２ａ，３８２ｂをそれぞれ取り付ける。そして、その先に更に、元々送風ノズル３８ａ（３），３８ｂ（３）に挿入するために用意されていた延長ノズル３８１ａ（３），３８１ｂ（３）をそれぞれ取り付ける。
【００８８】
図１５（ａ），（ｂ）は、ブーツアタッチメント３８２を用いた延長ノズル３８１（２），３８１（３）の取り付けの様子を拡大して示した図である。
【００８９】
図１５（ａ）は、ブーツアタッチメント３８２を取り付ける途中の断面図である。ブーツアタッチメント３８２は、一旦ロングブーツの開口部面積よりも狭くした状態でロングブーツに挿入され、挿入後に開放することで弾力により広がってロングブーツに固定される。
【００９０】
図１５（ｂ）は、延長ノズル３８１（３）を取り付けた後の斜視図である。ブーツアタッチメント３８２を介して、延長ノズル３８１（２），３８１（３）が接続されている。
【００９１】
このように何れかの仕切り２１を取り外し可能とすることにより、丈が高い靴も容易に収納して、靴乾燥機１を使用することが可能となる。
【００９２】
［ドア］
本実施の形態における靴乾燥機１のドア１１の内側に配置されたアクセサリ収容部１７は、靴アクセサリとして、靴用ブラシ、クロス、クリーム等を上から差し込んだり、引っ掛けたりすることで収容可能な上部開放型の構造を有している。しかしながら、アクセサリ収容部１７の構造はこれには限らず、上部に蓋を設けたボックス形状を有するものであってもよい。また、アクセサリ収容部１７は、ドア１１の内側に限らず、筐体１０内の他の場所に設けてもよい。例えば、靴アクセサリとして、送風ノズル３８に接続する延長ノズル３８１は、靴収容部２０の右側壁面２３に収容してもよい。また、靴アクセサリには、ブーツアタッチメント３８２もあるが、これを収容するアクセサリ収容部１７も同様に筐体１０内の何れかの場所に設けてよい。
【００９３】
このようにアクセサリ収容部１７を筐体１０内に設けることにより、筐体１０内に靴ケア用品を全て格納することが可能となり、筐体１０外に靴ケア用品を管理するための場所を別途確保する必要がなくなる。
【００９４】
図１６は、本実施の形態における靴乾燥機１のドア１１の外側の外観を示した図である。図示するように、ドア１１の外側にはタッチパネル１８が設けられている。このタッチパネル１８は、カメラ８０が撮影した靴画像や、制御装置９０が設定した運転モードを表示する。そして、例えば、ユーザが靴画像を見ながら運転モードを確認し、靴画像から分かる靴の種類、形状、サイズ、素材等に対して運転モードが適切でなかった場合に、表示された運転モードを指でタッチして変更できるようになっている。或いは、タッチパネル１８に表示されたボタン等の表示要素を、音声で選択して、運転モードを変更できるようにしてもよい。この場合は、ボタン等の表示要素をタッチするわけではないので、より一般化して、ドア１１の外側には操作部が設けられていると言うことができる。
【００９５】
これを実現するには、制御装置９０が、図５のステップ９０４とステップ９０５との間で操作部からのユーザ指示を受け付ける。そして、ユーザ指示が運転モードを変更しない旨を示すものであれば、図５のステップ９０５で、制御装置９０は、ステップ９０４で設定された運転モードで靴乾燥機１の運転を行う。一方、ユーザ指示が運転モードを変更する旨を示すものであれば、図５のステップ９０５で、制御装置９０は、ステップ９０４で設定された運転モードを変更した後の運転モードで靴乾燥機１の運転を行う。
【００９６】
このようにドア１１の外側に操作部を設けることにより、設定された運転モードをユーザが一目で確認することができ、操作がし易くなる。
【００９７】
［蒸気生成器］
本実施の形態における靴乾燥機１では、循環型流路内に、蒸気を生成して靴収容部２０に送風する蒸気生成器６０を設けている。具体的には、筐体１０内に設けられた湿度センサの値に基づき、筐体１０内の湿度が著しく低下したと判定した場合に、給水タンク７２の水を加熱して蒸気を生成し、靴収容部２０に送風する。
【００９８】
このように蒸気生成器６０を設けることにより、筐体１０内の適切な湿度環境を実現することができる。
【符号の説明】
【００９９】
１…靴乾燥機、１０…筐体、２０…靴収容部、２１…仕切り、３０…循環型流路、３１…ファン、３２…蒸発器、３３…凝縮器、３４…吐出流路、３５…背面流路、３６…送風ユニット、３７…前面流路、４０…殺菌ユニット、５０…脱臭装置、６０…蒸気生成器、７１…排水タンク、７２…給水タンク、８０…カメラ、９０…制御装置
【図１】
2020199239.tif 000003
【図２】
2020199239.tif 000004
【図３】
2020199239.tif 000005
【図４】
2020199239.tif 000006
【図５】
2020199239.tif 000007
【図６】
2020199239.tif 000008
【図７】
2020199239.tif 000009
【図８】
2020199239.tif 000010
【図９】
2020199239.tif 000011
【図１０】
2020199239.tif 000012
【図１１】
2020199239.tif 000013
【図１２】
2020199239.tif 000014
【図１３】
2020199239.tif 000015
【図１４】
2020199239.tif 000016
【図１５】
2020199239.tif 000017
【図１６】
2020199239.tif 000018